(57)【特許請求の範囲】
【請求項１】
中空の枠体と風量調整板とバネを備え、枠体は、室内側開口部と室外側開口部を有し、風量調整板は、枠体の左右いずれか一側端部に上下方向の軸で枠体の見込み幅内で回動自在に軸着し且つ着脱自在であり、枠体の室内側開口部の室外側面と風量調整板の室内側面の何れか一方に、他方側に向けて当接するバネが固定してあり、このバネで風量調整板を室外側に向けて常時付勢してあるとともに、枠体には、風量調整板の軸よりも室外側位置にストッパーが設けてあり、ストッパーで風量調整板の室外側への回動を規制してあることを特徴とする換気装置。
【発明の詳細な説明】
【技術分野】
【０００１】
本発明は、風量の調整が可能な換気装置に関するものである。
【背景技術】
【０００２】
換気装置として特許文献１に開示されるもののように、枠体の見込み幅内において風量調整板を室内外方向に開閉可能に設けてあり、室外から吹く風が強いときに風量調整板が室内側に移動し、枠体の室内側開口部を閉塞するものがあった。
【先行技術文献】
【特許文献】
【０００３】
【特許文献１】特開２００５−２７３２５６号公報
【発明の概要】
【発明が解決しようとする課題】
【０００４】
しかしながら、上記の特開２００５−２７３２５６号公報に開示される換気装置では、バネが枠体と風量調整板の両方をつなぐ状態で固定してあることから、風量調整板を取り外すときに、風量調整板とバネの固定状態を解除しなければならず、従って、換気装置のメンテナンス性に難があった。本発明は、上記課題を鑑みてなされたものであり、枠体からの風量調整板の着脱を容易にすることにより、メンテナンス性に優れた換気装置を提供することにある。
【課題を解決するための手段】
【０００５】
本発明は、中空の枠体と風量調整板とバネを備え、枠体は、室内側開口部と室外側開口部を有し、風量調整板は、枠体の左右いずれか一側端部に上下方向の軸で枠体の見込み幅内で回動自在に軸着し且つ着脱自在であり、枠体の室内側開口部の室外側面と風量調整板の室内側面の何れか一方に、他方側に向けて当接するバネが固定してあり、このバネで風量調整板を室外側に向けて常時付勢してあるとともに、枠体には、風量調整板の軸よりも室外側位置にストッパーが設けてあり、ストッパーで風量調整板の室外側への回動を規制してあることを特徴とする。
【発明の効果】
【０００６】
本発明によれば、バネが風量調整板の室内側面と枠体の室外側面のいずれか一方のみに固定し、他方に接近自在に設けてあることにより、風量調整板を室内側から簡単に取り外すことができる。
【図面の簡単な説明】
【０００７】
【図１】本実施による換気装置の横断面図である。
【図２】本実施による換気装置の縦断面図である。
【図３（ａ）（ｂ）】本実施による換気装置における風量調整板を着脱する手順を示す平面図である。
【図４】本発明の換気装置の他の実施形態を説明する横断面図である。
【発明を実施するための形態】
【０００８】
以下に、図面に基づいて本実施による換気装置の実施の形態を説明する。
図１は、本実施による換気装置の横断面図であり、図２は、本実施による換気装置の縦断面図であり、図３（ａ）（ｂ）は、枠体から風量調整板を取り外すときの横断面図であり、図４は、本発明の換気装置の他の実施形態を示す横断面図である。
【０００９】
本実施による換気装置は、図１及び図２を参照すれば、建物壁面を構成している左右の壁体９，９を連結する枠体１と、枠体１の内周側の一側面に上下方向の軸８で回動自在な風量調整板５とから構成するものである。まず、枠体１は、図１及び図２のように、上下枠１ａ，１ｂと左右枠１ｃ，１ｃとからなり、内周側に壁体９，９を屋内外方向に連通する縦長スリット状をなす外気の流路４を略中央に有した縦長で且つ矩形筒型形状をなすものであり、室内側開口部２ａと室外側開口部２ｂを有している。また、枠体１の左右枠１ｃ，１ｃの外周面に左右の壁体９，９の突き合わせ側端面との係合部１１，１１を有しており（図１参照）、これにより換気装置が左右の壁体９，９と係合している。また、枠体１には、図１及び図２のように、左右枠１ｃ，１ｃの室内側開口部２ａから流路４内を狭める方向に突出する張出部１０，１０を有し、張出部１０，１０の左右の室外側見付面には、風量調整板５との対向面３が設けてある。また、対向面３の室外側、具体的に枠体１の上下枠１ａ，１ｂの見込面には夫々に軸受部１２ａ，１２ｂを設けてあり、軸受部１２ａ，１２ｂは、上下方向に貫通する孔を有しており、上下の軸受部１２ａ，１２ｂの各々の孔には、後述するが、風量調整板５の軸８が挿通して回動可能に軸着する。また、枠体１の左右枠１ｃ内周側の見込面は、室内外方向の略中央が最も凹んだ湾曲状に形成してある。尚、符号７は、換気装置の開き框であり、開き框７は、枠体１室内側（室内側開口部２ａの室内側）の左右いずれかで上下方向の軸８を中心に開閉し且つ閉じたときのロック機構を有するものであり、本実施による換気装置を使用しないときには流路４を閉塞し、ロック機構により不意に開かないようにするものである。
【００１０】
風量調整板５は、室内側開口部２ａに向けて回動したときに流路４を塞ぐことのできる縦長矩形の羽根型をなすもので、一側部５ｂを枠体１の図示左側の左右枠１ｃ内周側の見込面に上下方向の軸８を中心に開閉自在に取り付けてあると共に、風量調整板５の室内側面５ｄの他側部５ａにはブロック状をなすクッション材１４が上下方向に間隔をあけて複数取り付けてあり、各々のクッション材１４は、後述するが、風量調整板５が室内側開口部２ａに向けて回動したときに、バネ６を受けるものである。また、風量調整板５は、枠体１の上下枠１ａ，１ｂの見込面に夫々設けてある上下の軸受部１２ａ，１２ｂにケンドン式に軸着してあり、さらに、風量調整板５とバネ６とが連結していないことから、図３（ａ）（ｂ）のように、開き框７を開いて本実施による換気装置の流路４を開放し、さらに、網戸１３を室内側から取り外した後、風量調整板５を室内側から持ち上げて軸８の下端を枠体１下枠１ｂの軸受部１２ｂの孔から外し、さらに、室内側開口部２ａから室内側に引き出すことにより枠体１からの着脱が可能となる。また、室外から本実施による換気装置に吹き込んだ風が微風のときは、風量調整板５と張出部（左右両側部）１０，１０との間隙から風を通すが、外気の風圧がバネ６の付勢力を超えたときには、その風圧を受けた風量調整板５が室内側に向けて回動し、バネ６が対向面３のクッション材１４に当接して圧縮し、間隙を狭めて外気の吹き込みを絞る。また、風圧が弱まれば、バネ６が戻って風量調整板５が室外側開口部２ｂに向けて回動し、再び室内側開口部２ａとの間隙を拡げることで外気が室外側開口部２ｂから室内に取り込まれる。また、風量調整板５の室外側面は、枠体１が見付方向に湾曲した湾曲面５ｃを有しており、流路４に外気が吹き込んだときに枠体１の室内側開口部２ａに誘導する。符号１５は、ストッパーであり、軸８側から当接して風量調整板５を室外側開口部２ｂに向けて不意に開閉させなくするものである。
【００１１】
図４は、本発明の換気装置の他の実施形態を示すものであり、上記実施形態と相違する構成のみを説明すれば、風量調整板５の室内側面５ｄの一側部５ｂにおいてもバネ６ｂが設けてあり、さらに、一側部５ｂと他側部５ａとのバネ６ａ，６ｂの上下方向に間隔をあけてクッション材１４が設けてある。そして、風量調整板５が室内側開口部２ａに向けて回動したときに、風量調整板５の室内側面５ｄの一側部５ｂと他側部５ａに有する各々のバネ６ａ，６ｂ及びクッション１４と対向する対向面３，３ａ，３ｂに当接し、風量調整板５と室内側開口部２ａとの間隙を狭めて室内への外気の吹き込みを絞る。このような構成であっても、ケンドン式に軸着した風量調整板５を室内側から簡単に取り外すことができる。また、上記のように風量調整板５の一側部５ｂと他側部５ａの夫々にバネ６ａ、６ｂを有するものであれば、風量調整板５が室内側開口部２ａに向けて回動したときに、まず、風量調整板５の一側部５ｂのバネ６ｂが対向面３ｂに当接して圧縮し、次に、他側部５ａのバネ６ａが対向面３ａに当接して圧縮することで、風量調整板５に対して段階的に付勢力が付与されるので、風量調整板５の開閉が一層安定する。
【００１２】
また、本発明の換気装置は、前述した実施形態に限るものではなく、風量調整板５の軸８と軸受部１２ａ，１２ｂは、軸８をスリット部分からスナップ式に嵌脱できる略Ｃ字状をなすものなど、工具などを用いることなく、枠体１の室内側開口部２ａから容易に取り外すことのできるものであればよい。また、バネ６，６ａ，６ｂは、付勢力よりも大きな風圧が風量調整板５に加わったときに縮んで、対向面３，３ａ，３ｂと当接して室内側開口部２ａを閉塞できるものであればよいから、パンタグラフ型あるいはアコーディオン型に伸び縮みする板バネなどであってもよい。
【符号の説明】
【００１３】
１  枠体
２ａ  室内側開口部
２ｂ  室外側開口部
５  風量調整板
５ｄ  室内側面
６，６ａ，６ｂ  バネ
８  軸
１５  ストッパー
【図１】
0005463379.tif 000002
【図２】
0005463379.tif 000003
【図３（ａ）（ｂ）】
0005463379.tif 000004
【図４】
0005463379.tif 000005